(57)【要約】　　　（修正有）【課題】均一であって、側面強度／長手方向強度の比も均一であるメルトブロー生成物を製造できるメルトブロー装置の提供。【解決手段】フィラメント３を放出するノズル１と、ノズル１の下方に設けられ、メルトブロー生成物のためのフィラメント３を被覆可能である、連続的に移動可能な被覆スクリーン５と、被覆スクリーンに設けられて、該被覆スクリーンを通して空気を吸引する吸引装置と、を設けている。メルトブロー生成物を製造するメルトブロー装置であって、被覆スクリーンには、その長手方向において、相互に分離された複数の吸入領域６、７、８、９が設けられ、これら複数の吸入領域の１個は、被覆領域に割り当てられた主要吸引領域８であり、複数の吸入領域において、吸入速度の各々を相互に独立して調整可能であることを特徴とするメルトブロー装置。【選択図】　図１
2004003079.tif 000002
【特許請求の範囲】
【請求項１】
フィラメント（３）を放出するノズル（１）と、
ノズル（１）の下方に設けられ、メルトブロー生成物のためのフィラメント（３）を被覆可能である、連続的に移動可能な被覆スクリーン（５）と、
被覆スクリーン（５）に設けられて、該被覆スクリーン（５）を通して空気を吸引する吸引装置と、
を設けている、メルトブロー生成物を製造するメルトブロー装置であって、
被覆スクリーン（５）には、その長手方向において、相互に分離された複数の吸入領域（６、７、８、９）が設けられ、これら複数の吸入領域（６、７、８、９）の１個は、被覆領域に割り当てわれた主要吸引領域（８）であり、
複数の吸入領域（６、７、８、９）において、吸入速度の各々を相互に独立して調整可能であることを特徴とするメルトブロー装置。
【請求項２】
少なくとも３個の吸入領域が相互に分離して設けられている請求項１に記載のメルトブロー装置。
【請求項３】
４個の吸入領域（６、７、８、９）が相互に分離して設けられ、
第１の吸入領域（６）と第２の吸入領域（７）は被覆スクリーン（５）の移動方向に対して主要吸入領域（８）の前方に設けられ、第３の吸入領域（９）は被覆スクリーン（５）の移動方向に対して主要吸入領域（８）の後方に設けられることを特徴とする請求項２に記載のメルトブロー装置。
【請求項４】
主要吸入領域（８）における吸入速度は、他の吸入領域（６、７、９）における吸入速度より早いことを特徴とする請求項１〜３のいずれか１項に記載のメルトブロー装置。
【請求項５】
吸入領域（６、７、８、９）の各々には専用の吸入ブロワが設けられていることを特徴とする請求項１〜４のいずれか１項に記載のメルトブロー装置。
【請求項６】
吸入領域（６、７、８、９）の各々は、シート状の金属製の区画壁（１０）によって相互に分離されていることを特徴とする請求項１〜５のいずれか１項に記載のメルトブロー装置。
【発明の詳細な説明】
【０００１】
【発明の属する技術分野】
本発明は、フィラメントを放出するノズルによってメルトブロー生成物を製造するメルトブロー装置に関する。このメルトブロー装置は、ノズルの下方に設けられ、メルトブロー生成物のためのフィラメントを被覆可能である、連続的に移動可能な被覆スクリーン（堆積スクリーン：ｄｅｐｏｓｉｔ　ｓｃｒｅｅｎ）と、被覆スクリーンに設けられ、被覆スクリーンを通して空気を吸入する吸入装置とを有する。
【０００２】
【従来の技術】
メルトブロー装置において、および／またはメルトブロー処理中に、ノズルから放出されたポリマー溶解物が噴射空気流と衝突する。これによって溶解物はポリマー繊維を形成する。続いてこの繊維は、メルトブロー生成物のための被覆スクリーンの上に被覆する。
【０００３】
【発明が解決しようとする課題】
本発明の基礎となる、実際的な操作から周知である冒頭に述べた種類のメルトブロー装置では、吸引溝および／または吸引領域が１個だけ、フィラメントの被覆領域に設けられ、これに対して吸引ブロワが被覆スクリーンの下方に割り当てられている。周知の装置を用いた場合、所望でない不規則性および／または不均質性を有するメルトブロー生成物が生産される場合が多々ある。また、これら周知のメルトブロー装置の吸引領域および／または被覆スクリーンの領域内には、幾分濃い（ｉｎｔｅｎｓｅ）繊維の浮遊物が生じることが多々ある。これは、繊維を未制御で被覆させることになり、メルトブロー生成物は不規則なものとなる。特に、このような不規則性は、メルトブロー生成物の表面の不規則性と同様、生成物の厚さ、空気の浸透性、製造された繊維マットの側面強度／長手方向強度の比と関連する。その結果、メルトブロー生成物の品質が所望より劣る。
【０００４】
一方、本発明は、この技術的な問題に基づき、均質性と均一性（ｅｖｅｎｎｅｓｓ）が特徴である、特に、最適な表面品質を有するメルトブロー生成物を製造できる、最初に述べた種類のメルトブロー装置を提供する。本発明の目的は主に、厚さが均一であって、側面強度／長手方向強度の比も均一であるメルトブロー生成物を製造できるようにすることである。空気浸透性も、メルトブロー生成物の様々な場所で出来る限り均一でなければならない。
【０００５】
【課題を解決するための手段】
上述した技術的な問題を解決するため、本発明は最初に述べた種類のメルトブロー装置を提供する。この装置は、長手方向において、被覆スクリーンには相互に独立した複数の吸入領域が設けられ、これら吸入流域の１個が被覆領域に割り当てらた主要吸引領域であって、個々の吸入領域における吸入速度を相互に独立して調整できることを特徴とする。
【０００６】
被覆スクリーンの移動および／または輸送の方向が被覆スクリーンの長手方向を特徴づける。したがって、相互に分離した複数の吸引領域は、被覆スクリーンの移動および／または輸送方向においてそれぞれの後方に配置されている。「被覆領域」という用語は、フィラメントの大部分が被覆され、および／または全てまたは殆ど全てのフィラメントが被覆される被覆スクリーン上の領域を規定する。吸引領域の各々において、吸引速度を別々に他の吸引領域から独立して調節できる。吸引速度とは、被覆スクリーンを通過して、および／またはこれに向かって吸引される空気の速度を毎秒ｍで示した速度である。吸引装置および／または吸引装置の吸引ブロワは、実際は、被覆スクリーンの下方に設けられる。
【０００７】
本発明の範囲は、フィラメントを放出するノズルをメルトブローブロウイングヘッドとして体現することを含む。さらに、本発明の範囲は、メルトブロー装置のノズルには、ポリマー溶解物を放出する複数のジェット穴および／またはジェット孔の列が設けられていることを含む。したがって、ジェット孔の列が１列だけ、設けられている。さらに、本発明に係る溶解物ブロウン装置には、調節された（ｔｅｍｐｅｒｅｄ）噴射空気を放出する細長いノズルが設けられていることが好適であって、この噴射空気はポリマー溶解物および／または、放出されたフィラメントと衝突する。
【０００８】
少なくとも３個の相互に分離した吸引領域が、被覆スクリーンの長手方向および／または移動方向において相互の後方に設けられていることが好適である。ここで、これらの吸引領域の１個は主要吸引領域である。本発明の範囲において特に重要である非常に好適な実施形態によると、相互に分離した４個の吸引領域が設けられ、ここでは、最初と２番目の吸引領域が被覆スクリーンの移動方向から見て主要吸引領域の前方に設けられ、さらに、第３の吸引領域が、ここでは、被覆スクリーンの移動方向から見て主要吸引領域の後方に設けられている。相互に独立した４個の吸引領域が設けられたこの実施形態は、本発明の範囲において特に適切であることが分かった。
【０００９】
本発明の範囲は、主要吸引領域における吸引速度が他の吸引領域における吸引速度より早いことを含む。したがって、相互に分離された４個の吸引領域が設けられた実施形態では、主要吸引領域における吸引速度が第１、第２、第３の吸引領域における吸引速度より早い。主要吸引領域にける吸引速度が他の吸引領域の各々における吸引速度の少なくとも２倍であることが利点である。主要吸引領域における吸引速度が第１の吸引領域および／または第２の吸引領域における吸引速度の少なくとも２倍であることが好適である。主要吸引領域における吸引速度は更に、第３の吸引領域における吸引速度の少なくとも２倍であることが好適である。
【００１０】
本発明の好適な実施形態によると、各吸引領域には専用の吸引ブロワが設けられている。したがって、本実施形態に係る溶解物ブロウン装置の吸引装置には、複数の吸引ブロワが設けられることになる。各吸引ブロワでは、吸引速度を吸引領域毎に別個に調整できる。したがって、各吸引領域では、吸引空気流を独立して調整することになる。吸引された多量の（ｖｏｌｕｍｅ）流れを、他からは完全に独立して調整できる。ここで、この調整は、主要吸引領域における吸引パワーが他の吸引領域の各々におけるパワーの２倍であるという条件下において、実行できる。
【００１１】
個々の吸引領域は、シート状の金属製の区画壁によって相互に分離されていることが利点である。ここでは、直角に配置されたシート金属を用いることが好適である。この場合の「直角」とは、実質的に直角である場合も含む。
【００１２】
本発明は、メルトブロー生成物および／または不織布の被覆を本発明に係る最適かつ確実に動作するメルトブロー装置によって調整できるという発見に基づいている。本発明の実施形態によれば、被覆スクリーンの領域に所望でない繊維の浮遊物が生じることを排除および／または効果的に減少できる。多様な吸引領域を実現することで、非常に均質な繊維を被覆させることができ、被覆されたメルトブロー生成物の非均質性を最小限にできる。製造されたメルトブロー生成物には、厚い部分や薄い部分といった障害部分（ｄｉｓｔｕｒｂｉｎｇ　ｓｅｃｔｉｏｎ）は見られない。従って、不織布の空気浸透性または側面方向の強度／長手方向の比に関する望ましくない障害となる不均質性を排除できる。更に、主要吸引領域は、実際の使用から周知であるメルトブロー装置の吸入領域と比べて、被覆領域の長手方向および／または移動方向に関してより短くできる。したがって、エネルギー節約となって利点である。なぜなら、吸引される空気の全流量を低減可能だからである。本発明のように様々な吸引領域に分離することをしなければ、より早い吸引速度が必要である１個の吸引領域を、被覆スクリーンの移動方向における寸法をより長くして、被覆領域に設けねばならない。したがって、周知のメルトブロー装置では、不必要に大量の流れが吸引される。これは、高エネルギーを消費する。
【００１３】
以下で、図面を用いて、本発明をより詳細に説明するが、これは、１例を示すためである。これらは概略図に示す。
【００１４】
図１は、本発明に係るメルトブロー装置の側面図である。
図２は、図１の拡大部Ａである。
【００１５】
これらの図は、メルトブロー生成物、つまり不織布を製造する本発明に係るメルトブロー装置を示す。このメルトブロー装置にはノズル１が設けられ、そのジェット孔２からフィラメント３が放出される。例示的実施形態のノズル１には複数のジェット孔２を含む列が設けられることが利点である。フィラメント３は、調節された噴射空気４と衝突する。この流体の方向を対応する矢印で図示する。ノズル１の下方には、連続的に移動できる被覆スクリーン５が設けられ、メルトブロー不織布のためのフィラメント３がこの上に被覆できる。被覆スクリーン５を通して空気を吸入するので、フィラメント３も幾分かは被覆スクリーンの方に吸引される。
【００１６】
本発明によれば、被覆スクリーン５には４個の吸入領域６、７、８、９が相互に分離して設けられる。吸入領域６、７、８、９の１個は、被覆領域に割り当てられた主要吸入領域８である。被覆領域は、フィラメント３の少なくとも大部分が被覆する被覆スクリーン５上の領域によって規定される。本発明によると、吸入領域６、７、８、９における吸引速度の各々を相互に独立して調整できる。主要吸入領域８における吸入速度は他の吸入領域６、７、８領域における吸引速度より早い。更に、吸引領域７における吸引速度は吸入領域６における吸引速度より早いことが利点である。本発明の好適な実施形態によると、吸入領域６、７、８、９の各々には専用の吸引ブロウ（図示せず）が設けられる。したがって、吸入領域６、７、８、９の吸引速度を各吸入ブロウにおいて個別に調整でき、各吸入領域６、７、８、９における吸入空気流を個別に制御および／または調整できる。例示的な実施形態では、個々の吸入領域はシート状の金属製の区画壁１０によって相互に分離されていることが利点である。
【００１７】
図２では、特に、放出されたフィラメント３と、噴射空気４の流れ方向と、吸入された第２の空気１１の流れ方向とを識別可能に示す。本発明によれば、第２の空気１１の方向と同様、個々の吸入領域６、７、８、９および噴射空気４の方向を調整して、非常に機能的かつ均質なフィラメントが被覆でき、驚くほど均質な製品特徴を実現できる。本発明によれば、主要吸入領域８の後方に配置された第３の吸入領域９の働きによって、製造されたメルトブロー生成物を被覆スクリーン５に効果的に接触させられる。本発明は、第３の吸入領域９が無ければ、製造されたメルトブロー生成物は、高速で排出される噴射空気によって吸引される第２の空気によって所望でない影響を受けであろう、という知識に基づいている。本発明にしたがって吸入領域６、７、８、９に分離することで、空気流による妨害や所望でない影響を最小限にする。
【図面の簡単な説明】
【図１】本発明に係るメルトブロー装置の側面図である。
【図２】図１の拡大部Ａである。
【図１】
2004003079.tif 000003
【図２】
2004003079.tif 000004
【外国語明細書】
2004003079.tif 000005
2004003079.tif 000006
2004003079.tif 000007
2004003079.tif 000008
2004003079.tif 000009
2004003079.tif 000010
2004003079.tif 000011
2004003079.tif 000012
2004003079.tif 000013
2004003079.tif 000014
2004003079.tif 000015
2004003079.tif 000016
2004003079.tif 000017
2004003079.tif 000018
2004003079.tif 000019
2004003079.tif 000020
2004003079.tif 000021
2004003079.tif 000022